(57)【要約】【課題】基礎の構築は、余幅部分の掘削、残土処理を行い、基礎縦部分を鉄筋加工組立、型枠取付、コンクリート打設、型枠脱型、余幅掘削部分の埋め戻し、土間地業、土間配筋、土間コンクリート打設の順で施工している。しかし型枠を構成するために作業スペースを確保しなければならず、余幅をもって大きく掘削する必要があるなどの問題があった。【解決手段】所望する面積の土間部分１Ａの外周に基礎用掘削溝１Ｂを刻設する、基礎用掘削溝１Ｂに型枠１Ｃを起立添設する、土間部分１Ａの上面に土間用鉄筋１Ｇを張設する、基礎用掘削溝１Ｂ内と土間部分１Ａの上面にコンクリート１Ｉを打設するなどの工程から構成されている。【選択図】        図２
2004156278.tif 000002
【特許請求の範囲】
【請求項１】
下記の各工程から構成されていることを特徴とする基礎の形成方法。
第１工程
所望する面積の土間部分（１Ａ）の外周に、底面（１Ｂ１）と内方側壁（１Ｂ２）と外方側壁（１Ｂ３）が断面上向きコ字状に形成されている基礎用掘削溝（１Ｂ）を刻設する。
第２工程
基礎用掘削溝（１Ｂ）の外方側壁（１Ｂ３）の上端縁に添って所定高さの型枠（１Ｃ）を起立添設する。
第３工程
土間部分（１Ａ）の上面に砂利（１Ｄ）を所定厚さに敷設転圧する。
第４工程
基礎用掘削溝（１Ｂ）内に基礎用鉄筋部（１Ｅ）を挿入配筋する。
第５工程
型枠（１Ｃ）に所定間隔で取付けたセパレータ（１Ｆ、１Ｆ．．）で側面用鉄筋（１Ｅ１）の上方部分を支持する。
第６工程
土間部分（１Ａ）の上面に、当該土間部分とは所定間隔をもって水平状態で土間用鉄筋（１Ｇ）を張設する。
第７工程
側面用鉄筋（１Ｅ１）の上方部分に所定間隔をもってアンカー（１Ｈ、１Ｈ．．）を上方に向け植設する。
第８工程
基礎用掘削溝（１Ｂ）内と土間部分（１Ａ）上の砂利（１Ｄ）の上面にコンクリート（１Ｉ）を打設し、養生後型枠（１Ｃ）を取外し基礎（１）を得る。
【請求項２】
第４工程、第６工程が下記のように構成されている請求項１記載の基礎の形成方法。
第４工程
基礎用掘削溝（１Ｂ）内に基礎用鉄筋部（１Ｅ）を挿入配筋する。
基礎用鉄筋部（１Ｅ）は側面用鉄筋（１Ｅ１）と、コーナー用鉄筋（１Ｅ２）から構成され、側面用鉄筋（１Ｅ１）は、適数本の直線状横筋（１Ｅ１１、１Ｅ１１．．）と、これらと連結された適数本の縦筋（１Ｅ１２、１Ｅ１２．．）と、各縦筋（１Ｅ１２）の下端に当該縦筋の後方に向け連設された水平な下方筋（１Ｅ１３）と、下方筋の後端に上方に向け連設された起立筋（１Ｅ１４）から構成され、コーナー用鉄筋（１Ｅ２）は、適数本の平面略Ｌ字状横筋（１Ｅ２１、１Ｅ２１．．）と、これらと連結された適数本の縦筋（１Ｅ２２、１Ｅ２２．．）と、各縦筋（１Ｅ２２）の下端に当該縦筋の後方に向け連設された水平な下方筋（１Ｅ２３）と、下方筋の後端に上方に向け連設された起立筋（１Ｅ２４）から構成され、側面用鉄筋（１Ｅ１）の起立筋（１Ｅ１４）とコーナー用鉄筋（１Ｅ２）の起立筋（１Ｅ２４）は、基礎用掘削溝（１Ｂ）の外方側壁（１Ｂ３）側に位置して配筋されていること。
第６工程
土間部分（１Ａ）の上面に、当該土間部分とは所定間隔をもって水平状態で土間用鉄筋（１Ｇ）を張設する。
土間用鉄筋（１Ｇ）は、適数本の横方向筋（１Ｇ１、１Ｇ１．．）と、これらと連結された適数本の縦方向筋（１Ｇ２、１Ｇ２．．）と、各横方向筋（１Ｇ１）の両端に下方に向け連設された垂下筋（１Ｇ１１、１Ｇ１１）と、各縦方向筋（１Ｇ２）の両端に下方に向け連設された垂下筋（１Ｇ２１、１Ｇ２１）から構成されていること。
【請求項３】
下記の各工程から構成されていることを特徴とする基礎の形成方法。
第１工程
所望する面積の土間部分（２Ａ）の外周に、底面（２Ｂ１）と内方側壁（２Ｂ２）と外方側壁（２Ｂ３）が断面上向きコ字状に形成されている基礎用掘削溝（２Ｂ）を刻設する。
第２工程
基礎用掘削溝（２Ｂ）の深さより高く構成された断熱板（２Ｃ）を、当該基礎用掘削溝（２Ｂ）の外方側壁（２Ｂ３）に添って起立添設する。
第３工程
土間部分（２Ａ）の上面に砂利（２Ｄ）を所定厚さに敷設転圧する。
第４工程
土間部分（２Ａ）の上面と基礎用掘削溝における内方側壁（２Ｂ２）を覆う状態でビニールシート（２Ｅ）を敷設後、土間部分（２Ａ）の上面対応部分に断熱板（２Ｆ）を敷設する。
第５工程
基礎用掘削溝（２Ｂ）内に基礎用鉄筋部（２Ｇ）を挿入配筋する。
第６工程
断熱板（２Ｃ）に所定間隔で取付けたセパレータ（２Ｈ、２Ｈ．．）で側面用鉄筋（２Ｇ１）の上方部分を支持する。
第７工程
土間部分（２Ａ）の上面に、当該土間部分とは所定間隔をもって水平状態で土間用鉄筋（２Ｉ）を張設する。
第８工程
側面用鉄筋（２Ｇ１）の上方部分に所定間隔をもってアンカー（２Ｊ、２Ｊ．．）を上方に向け植設する。
第９工程
基礎用掘削溝（２Ｂ）内と土間部分（２Ａ）上の断熱板（２Ｆ）の上面にコンクリート（２Ｋ）を打設し、養生後基礎（２）を得る。
【請求項４】
第５工程、第７工程が下記のように構成されている請求項３記載の基礎の形成方法。
第５工程
基礎用掘削溝（２Ｂ）内に基礎用鉄筋部（２Ｇ）を挿入配筋する。
基礎用鉄筋部（２Ｇ）は側面用鉄筋（２Ｇ１）と、コーナー用鉄筋（２Ｇ２）から構成され、側面用鉄筋（２Ｇ１）は、適数本の直線状横筋（２Ｇ１１、２Ｇ１１．．）と、これらと連結された適数本の縦筋（２Ｇ１２、２Ｇ１２．．）と、各縦筋（２Ｇ１２）の下端に当該縦筋の後方に向け連設された水平な下方筋（２Ｇ１３）と、下方筋の後端に上方に向け連設された起立筋（２Ｇ１４）から構成され、コーナー用鉄筋（２Ｇ２）は、適数本の平面略Ｌ字状横筋（２Ｇ２１、２Ｇ２１．．）と、これらと連結された適数本の縦筋（２Ｇ２２、２Ｇ２２．．）と、各縦筋（２Ｇ２２）の下端に当該縦筋の後方に向け連設された水平な下方筋（２Ｇ２３）と、下方筋の後端に上方に向け連設された起立筋（２Ｇ２４）から構成され、側面用鉄筋（２Ｇ１）の起立筋（２Ｇ１４）とコーナー用鉄筋（２Ｇ２）の起立筋（２Ｇ２４）は、基礎用掘削溝（２Ｂ）の外方側壁（２Ｂ３）側に位置して配筋されていること。
第７工程
土間部分（２Ａ）の上面に、当該土間部分とは所定間隔をもって水平状態で土間用鉄筋（２Ｉ）を張設する。
土間用鉄筋（２Ｉ）は、適数本の横方向筋（２Ｉ１、２Ｉ１．．）と、これらと連結された適数本の縦方向筋（２Ｉ２、２Ｉ２．．）と、各横方向筋（２Ｉ１）の両端に下方に向け連設された垂下筋（２Ｉ１１、２Ｉ１１）と、各縦方向筋（２Ｉ２）の両端に下方に向け連設された垂下筋（２Ｉ２１、２Ｉ２１）から構成されていること。
【請求項５】
下記の各工程から構成されていることを特徴とする基礎の形成方法。
第１工程
所望する面積の土間部分（３Ａ）の外周に、内方側壁（３Ｂ２）と外方側壁（３Ｂ３）が断面上向きコ字状に形成されている基礎用掘削溝（３Ｂ）を刻設する。
第２工程
基礎用掘削溝（３Ｂ）内に当該基礎用掘削溝の外方側壁（３Ｂ３）に添って断熱板（３Ｃ）を、中間連結柱（３Ｃ１）と左方連結柱（３Ｃ２）と右方連結柱（３Ｃ３）を使用して起立添設する。
第３工程
土間部分（３Ａ）の上面に砂利（３Ｄ）を所定厚さに敷設転圧する。
第４工程
土間部分（３Ａ）の上面と基礎用掘削溝における内方側壁（３Ｂ２）を覆う状態でビニールシート（３Ｅ）を敷設後、土間部分（３Ａ）の上面対応部分に断熱板（３Ｆ）を敷設する。
第５工程
基礎用掘削溝（３Ｂ）内に基礎用鉄筋部（３Ｇ）を挿入配筋する。
第６工程
断熱板（３Ｃ）に所定間隔で取付けたセパレータ（３Ｈ、３Ｈ．．）で側面用鉄筋（３Ｇ１）の上方部分を支持する。
第７工程
土間部分（３Ａ）の上面に、当該土間部分とは所定間隔をもって水平状態で土間用鉄筋（３Ｉ）を張設する。
第８工程
側面用鉄筋（３Ｇ１）の上方部分に所定間隔をもってアンカー（３Ｊ、３Ｊ．．）を上方に向け植設する。
第９工程
基礎用掘削溝（３Ｂ）内と土間部分（３Ａ）上の断熱板（３Ｆ）の上面にコンクリート（３Ｋ）を打設し、養生後基礎（３）を得る。
【請求項６】
第２工程、第５工程、第７工程が下記のように構成されている請求項５記載の基礎の形成方法。
第２工程
基礎用掘削溝（３Ｂ）内に当該基礎用掘削溝の外方側壁（３Ｂ３）に添って断熱板（３Ｃ）を、中間連結柱（３Ｃ１）と左方連結柱（３Ｃ２）と右方連結柱（３Ｃ３）を使用して起立添設する。
断熱板（３Ｃ）は、基礎用掘削溝（３Ｂ）の深さに相当する高さを有する正面横長方形に形成して構成され、
中間連結柱（３Ｃ１）は、中間連結柱体（３Ｃ１１）と下方脚（３Ｃ１２）と上方内支持杆（３Ｃ１３）と上方外支持杆（３Ｃ１４）から構成され、中間連結柱体（３Ｃ１１）は、左方にコ字状に形成された挟持用左縦枠（３Ｃ１１１）と、右方にコ字状に形成された挟持用右縦枠（３Ｃ１１２）とを背中合わせの状態で連結して構成され、これにより左右に位置する断熱板（３Ｃ、３Ｃ）の中間に位置し、左に位置する断熱板（３Ｃ）の右端と右に位置する断熱板（３Ｃ）の左端を挟持するよう構成され、下方脚（３Ｃ１２）は、中間連結柱体（３Ｃ１１）の前面と後面における下端から垂下された所定寸法の前後の脚用棒（３Ｃ１２１、３Ｃ１２１）で構成され、上方内支持杆（３Ｃ１３）は、中間連結柱体（３Ｃ１１）の前面における上方位置に前方に向けた支持棒で構成され、上方外支持杆（３Ｃ１４）は、中間連結柱体（３Ｃ１１）の後面における上方位置に後方に向けた支持棒で構成され、
左方連結柱（３Ｃ２）は、左方連結柱体（３Ｃ２１）と下方脚（３Ｃ２２）から構成され、左方連結柱体（３Ｃ２１）は、前方に向けたコ字状縦枠（３Ｃ２１１）に右方に向けたコ字状縦枠（３Ｃ２１２）を連結して構成され、下方脚（３Ｃ２２）は、左方連結柱体（３Ｃ２１）の前面と後面における下端から垂下された所定寸法の前後の脚用棒（３Ｃ２２１、３Ｃ２２１）で構成され、
右方連結柱（３Ｃ３）は、右方連結柱体（３Ｃ３１）と下方脚（３Ｃ３２）から構成され、右方連結柱体（３Ｃ３１）は、左方に向けたコ字状縦枠（３Ｃ３１１）に前方に向けたコ字状縦枠（３Ｃ３１２）を連結して構成され、下方脚（３Ｃ３２）は、右方連結柱体（３Ｃ３１）の前面と後面における下端から垂下された所定寸法の前後の脚用棒（３Ｃ３２１、３Ｃ３２１）で構成されていること。
第５工程
基礎用掘削溝（３Ｂ）内に基礎用鉄筋部（３Ｇ）を挿入配筋する。
基礎用鉄筋部（３Ｇ）は側面用鉄筋（３Ｇ１）と、コーナー用鉄筋（３Ｇ２）から構成され、側面用鉄筋（３Ｇ１）は、適数本の直線状横筋（３Ｇ１１、３Ｇ１１．．）と、これらと連結された適数本の縦筋（３Ｇ１２、３Ｇ１２．．）と、各縦筋（３Ｇ１２）の下端に当該縦筋の後方に向け連設された水平な下方筋（３Ｇ１３）と、下方筋の後端に上方に向け連設された起立筋（３Ｇ１４）から構成され、コーナー用鉄筋（３Ｇ２）は、適数本の平面略Ｌ字状横筋（３Ｇ２１、３Ｇ２１．．）と、これらと連結された適数本の縦筋（３Ｇ２２、３Ｇ２２．．）と、各縦筋（３Ｇ２２）の下端に当該縦筋の後方に向け連設された水平な下方筋（３Ｇ２３）と、下方筋の後端に上方に向け連設された起立筋（３Ｇ２４）から構成され、側面用鉄筋（３Ｇ１）の起立筋（３Ｇ１４）とコーナー用鉄筋（３Ｇ２）の起立筋（３Ｇ２４）は、基礎用掘削溝（３Ｂ）の外方側壁（３Ｂ３）側に位置して配筋されていること。
第７工程
土間部分（３Ａ）の上面に、当該土間部分とは所定間隔をもって水平状態で土間用鉄筋（３Ｉ）を張設する。
土間用鉄筋（３Ｉ）は、適数本の横方向筋（３Ｉ１、３Ｉ１．．）と、これらと連結された適数本の縦方向筋（３Ｉ２、３Ｉ２．．）と、各横方向筋（３Ｉ１）の両端に下方に向け連設された垂下筋（３Ｉ１１、３Ｉ１１）と、各縦方向筋（３Ｉ２）の両端に下方に向け連設された垂下筋（３Ｉ２１、３Ｉ２１）から構成されていること。
【発明の詳細な説明】
【０００１】
【発明の属する技術分野】
本発明は、新規な構成を有する基礎の形成方法に関するものである。
【０００２】
【従来の技術】
従来の基礎の形成方法は、下記のような構成となっている。
基礎形成方法の考え方として、基礎の種類、分類としては、上部構造からの荷重を杭などを用いずに基礎版から直接地盤に伝える基礎であって、建物の底面積全体を占める板状の基礎とする。
そこで、従来、上記基礎を構築するために、図２４を参照して、余幅部分４、４の掘削、残土処理をも行い、基礎縦部分を鉄筋加工組立、型枠取付、コンクリート打設の順に施工し、基礎コンクリートの硬化度により型枠脱型を行い、余幅掘削部分の埋め戻し作業をし、土間地業、土間配筋、土間コンクリート打設の順で施工し、基礎を構築する。
【０００３】
【発明が解決しようとする課題】
従来の技術で述べたものにあっては、下記のような問題点を有していた。
Ａ．型枠を構成するために作業スペースを確保しなければならず、余幅をもって大きく掘削する必要がある。すなわち、余幅部分の掘削が発生する。
Ｂ．大量の掘削土の埋め戻し材としての仮置場を必要とする。
Ｃ．掘削土の仮置場までの運搬を必要とする。
Ｄ．型枠資材を大量に必要とする。
Ｅ．型枠資材の運搬を必要とする。
Ｆ．型枠構成のための専門的な技能者を必要とする。
Ｇ．上記技能者による型枠加工、現地取付作業を必要とする。
Ｈ．基礎部分構築後、現地型枠解体作業と搬出運搬と型枠資材の管理を必要とする。
Ｉ．仮置している掘削堆積土の運搬、搬入、埋め戻し作業を必要とする。
【０００４】
本発明は、従来の技術の有するこのような問題点に鑑みなされたものであり、その目的とするところは、下記のようなことができるのものを提供しようとするものである。
１．建築物基礎構造の構築に際して、地盤の掘削及びそれに伴う残土の廃棄処理が必要最小限で、埋め戻し作業が不要な基礎構造を提供する。
２．建築物基礎構造の構築に際して、型枠資材を使用しないで掘削断面をそのまま利用することにより、基礎形状を確立する工法を提供する。
３．トレンチャーによる掘削工法により基礎構造の型状に適合した掘削断面を確保することとし、その基礎構造物が求めている型状を現況掘削地盤面をそのまま利用することにし、型枠資材を使わずに型成し施工することにより工期の短縮とコストダウンを目的とした。
【０００５】
【課題を解決するための手段】
上記目的を達成するために、本発明は下記のようになるものである。
すなわち、
請求項１記載の発明は、下記の各工程から構成されていることを特徴とするものである。
第１工程
所望する面積の土間部分１Ａの外周に、底面１Ｂ１と内方側壁１Ｂ２と外方側壁１Ｂ３が断面上向きコ字状に形成されている基礎用掘削溝１Ｂを刻設する。
第２工程
基礎用掘削溝１Ｂの外方側壁１Ｂ３の上端縁に添って所定高さの型枠１Ｃを起立添設する。
第３工程
土間部分１Ａの上面に砂利１Ｄを所定厚さに敷設転圧する。
第４工程
基礎用掘削溝１Ｂ内に基礎用鉄筋部１Ｅを挿入配筋する。
第５工程
型枠１Ｃに所定間隔で取付けたセパレータ１Ｆ、１Ｆ．．で側面用鉄筋１Ｅ１の上方部分を支持する。
第６工程
土間部分１Ａの上面に、当該土間部分とは所定間隔をもって水平状態で土間用鉄筋１Ｇを張設する。
第７工程
側面用鉄筋１Ｅ１の上方部分に所定間隔をもってアンカー１Ｈ、１Ｈ．．を上方に向け植設する。
第８工程
基礎用掘削溝１Ｂ内と土間部分１Ａ上の砂利１Ｄの上面にコンクリート１Ｉを打設し、養生後型枠１Ｃを取外し基礎１を得る。
【０００６】
請求項２記載の発明は、請求項１記載の発明において、第４工程、第６工程が下記のように構成されていることを特徴とするものである。
第４工程
基礎用掘削溝１Ｂ内に基礎用鉄筋部１Ｅを挿入配筋する。
基礎用鉄筋部１Ｅは側面用鉄筋１Ｅ１と、コーナー用鉄筋１Ｅ２から構成され、
Ａ．側面用鉄筋１Ｅ１は、適数本の直線状横筋１Ｅ１１、１Ｅ１１．．と、これらと連結された適数本の縦筋１Ｅ１２、１Ｅ１２．．と、各縦筋１Ｅ１２の下端に当該縦筋の後方に向け連設された水平な下方筋１Ｅ１３と、下方筋の後端に上方に向け連設された起立筋１Ｅ１４から構成され、
Ｂ．コーナー用鉄筋１Ｅ２は、適数本の平面略Ｌ字状横筋１Ｅ２１、１Ｅ２１．．と、これらと連結された適数本の縦筋１Ｅ２２、１Ｅ２２．．と、各縦筋１Ｅ２２の下端に当該縦筋の後方に向け連設された水平な下方筋１Ｅ２３と、下方筋の後端に上方に向け連設された起立筋１Ｅ２４から構成され、
Ｃ．側面用鉄筋１Ｅ１の起立筋１Ｅ１４とコーナー用鉄筋１Ｅ２の起立筋１Ｅ２４は、基礎用掘削溝１Ｂの外方側壁１Ｂ３側に位置して配筋されていること。
第６工程
土間部分１Ａの上面に、当該土間部分とは所定間隔をもって水平状態で土間用鉄筋１Ｇを張設する。
土間用鉄筋１Ｇは、適数本の横方向筋１Ｇ１、１Ｇ１．．と、これらと連結された適数本の縦方向筋１Ｇ２、１Ｇ２．．と、各横方向筋１Ｇ１の両端に下方に向け連設された垂下筋１Ｇ１１、１Ｇ１１と、各縦方向筋１Ｇ２の両端に下方に向け連設された垂下筋１Ｇ２１、１Ｇ２１から構成されていること。
【０００７】
請求項３記載の発明は、下記の各工程から構成されていることを特徴とするものである。
第１工程
所望する面積の土間部分２Ａの外周に、底面２Ｂ１と内方側壁２Ｂ２と外方側壁２Ｂ３が断面上向きコ字状に形成されている基礎用掘削溝２Ｂを刻設する。
第２工程
基礎用掘削溝２Ｂの深さより高く構成された断熱板２Ｃを、当該基礎用掘削溝２Ｂの外方側壁２Ｂ３に添って起立添設する。
第３工程
土間部分２Ａの上面に砂利２Ｄを所定厚さに敷設転圧する。
第４工程
土間部分２Ａの上面と基礎用掘削溝における内方側壁２Ｂ２を覆う状態でビニールシート２Ｅを敷設後、土間部分２Ａの上面対応部分に断熱板２Ｆを敷設する。
第５工程
基礎用掘削溝２Ｂ内に基礎用鉄筋部２Ｇを挿入配筋する。
第６工程
断熱板２Ｃに所定間隔で取付けたセパレータ２Ｈ、２Ｈ．．で側面用鉄筋２Ｇ１の上方部分を支持する。
第７工程
土間部分２Ａの上面に、当該土間部分とは所定間隔をもって水平状態で土間用鉄筋２Ｉを張設する。
第８工程
側面用鉄筋２Ｇ１の上方部分に所定間隔をもってアンカー２Ｊ、２Ｊ．．を上方に向け植設する。
第９工程
基礎用掘削溝２Ｂ内と土間部分２Ａ上の断熱板２Ｆの上面にコンクリート２Ｋを打設し、養生後基礎２を得る。
【０００８】
請求項４記載の発明は、請求項３記載の発明において、第５工程、第７工程が下記のように構成されていることを特徴とするものである。
第５工程
基礎用掘削溝２Ｂ内に基礎用鉄筋部２Ｇを挿入配筋する。
基礎用鉄筋部２Ｇは側面用鉄筋２Ｇ１と、コーナー用鉄筋２Ｇ２から構成され、
Ａ．側面用鉄筋２Ｇ１は、適数本の直線状横筋２Ｇ１１、２Ｇ１１．．と、これらと連結された適数本の縦筋２Ｇ１２、２Ｇ１２．．と、各縦筋２Ｇ１２の下端に当該縦筋の後方に向け連設された水平な下方筋２Ｇ１３と、下方筋の後端に上方に向け連設された起立筋２Ｇ１４から構成され、
Ｂ．コーナー用鉄筋２Ｇ２は、適数本の平面略Ｌ字状横筋２Ｇ２１、２Ｇ２１．．と、これらと連結された適数本の縦筋２Ｇ２２、２Ｇ２２．．と、各縦筋２Ｇ２２の下端に当該縦筋の後方に向け連設された水平な下方筋２Ｇ２３と、下方筋の後端に上方に向け連設された起立筋２Ｇ２４から構成され、
Ｃ．側面用鉄筋２Ｇ１の起立筋２Ｇ１４とコーナー用鉄筋２Ｇ２の起立筋２Ｇ２４は、基礎用掘削溝２Ｂの外方側壁２Ｂ３側に位置して配筋されていること。
第７工程
土間部分２Ａの上面に、当該土間部分とは所定間隔をもって水平状態で土間用鉄筋２Ｉを張設する。
土間用鉄筋２Ｉは、適数本の横方向筋２Ｉ１、２Ｉ１．．と、これらと連結された適数本の縦方向筋２Ｉ２、２Ｉ２．．と、各横方向筋２Ｉ１の両端に下方に向け連設された垂下筋２Ｉ１１、２Ｉ１１と、各縦方向筋２Ｉ２の両端に下方に向け連設された垂下筋２Ｉ２１、２Ｉ２１から構成されていること。
【０００９】
請求項５記載の発明は、下記の各工程から構成されていることを特徴とするものである。
第１工程
所望する面積の土間部分３Ａの外周に、内方側壁３Ｂ２と外方側壁３Ｂ３が断面上向きコ字状に形成されている基礎用掘削溝３Ｂを刻設する。
第２工程
基礎用掘削溝３Ｂ内に当該基礎用掘削溝の外方側壁３Ｂ３に添って断熱板３Ｃを、中間連結柱３Ｃ１と左方連結柱３Ｃ２と右方連結柱３Ｃ３を使用して起立添設する。
第３工程
土間部分３Ａの上面に砂利３Ｄを所定厚さに敷設転圧する。
第４工程
土間部分３Ａの上面と基礎用掘削溝における内方側壁３Ｂ２を覆う状態でビニールシート３Ｅを敷設後、土間部分３Ａの上面対応部分に断熱板３Ｆを敷設する。
第５工程
基礎用掘削溝３Ｂ内に基礎用鉄筋部３Ｇを挿入配筋する。
第６工程
断熱板３Ｃに所定間隔で取付けたセパレータ３Ｈ、３Ｈ．．で側面用鉄筋３Ｇ１の上方部分を支持する。
第７工程
土間部分３Ａの上面に、当該土間部分とは所定間隔をもって水平状態で土間用鉄筋３Ｉを張設する。
第８工程
側面用鉄筋３Ｇ１の上方部分に所定間隔をもってアンカー３Ｊ、３Ｊ．．を上方に向け植設する。
第９工程
基礎用掘削溝３Ｂ内と土間部分３Ａ上の断熱板３Ｆの上面にコンクリート３Ｋを打設し、養生後基礎３を得る。
【００１０】
請求項６記載の発明は、請求項５記載の発明において、第２工程、第５工程、第７工程が下記のように構成されていることを特徴とするものである。
第２工程
基礎用掘削溝３Ｂ内に当該基礎用掘削溝の外方側壁３Ｂ３に添って断熱板３Ｃを、中間連結柱３Ｃ１と左方連結柱３Ｃ２と右方連結柱３Ｃ３を使用して起立添設する。
Ａ．断熱板３Ｃは、基礎用掘削溝３Ｂの深さに相当する高さを有する正面横長方形に形成して構成され、
Ｂ．中間連結柱３Ｃ１は、中間連結柱体３Ｃ１１と下方脚３Ｃ１２と上方内支持杆３Ｃ１３と上方外支持杆３Ｃ１４から構成され、中間連結柱体３Ｃ１１は、左方にコ字状に形成された挟持用左縦枠３Ｃ１１１と、右方にコ字状に形成された挟持用右縦枠３Ｃ１１２とを背中合わせの状態で連結して構成され、これにより左右に位置する断熱板３Ｃ、３Ｃの中間に位置し、左に位置する断熱板３Ｃの右端と右に位置する断熱板３Ｃの左端を挟持するよう構成され、下方脚３Ｃ１２は、中間連結柱体３Ｃ１１の前面と後面における下端から垂下された所定寸法の前後の脚用棒３Ｃ１２１、３Ｃ１２１で構成され、上方内支持杆３Ｃ１３は、中間連結柱体３Ｃ１１の前面における上方位置に前方に向けた支持棒で構成され、上方外支持杆３Ｃ１４は、中間連結柱体３Ｃ１１の後面における上方位置に後方に向けた支持棒で構成され、
Ｃ．左方連結柱３Ｃ２は、左方連結柱体３Ｃ２１と下方脚３Ｃ２２から構成され、左方連結柱体３Ｃ２１は、前方に向けたコ字状縦枠３Ｃ２１１に右方に向けたコ字状縦枠３Ｃ２１２を連結して構成され、下方脚３Ｃ２２は、左方連結柱体３Ｃ２１の前面と後面における下端から垂下された所定寸法の前後の脚用棒３Ｃ２２１、３Ｃ２２１で構成され、
Ｄ．右方連結柱３Ｃ３は、右方連結柱体３Ｃ３１と下方脚３Ｃ３２から構成され、右方連結柱体３Ｃ３１は、左方に向けたコ字状縦枠３Ｃ３１１に前方に向けたコ字状縦枠３Ｃ３１２を連結して構成され、下方脚３Ｃ３２は、右方連結柱体３Ｃ３１の前面と後面における下端から垂下された所定寸法の前後の脚用棒３Ｃ３２１、３Ｃ３２１で構成されていること。
第５工程
基礎用掘削溝３Ｂ内に基礎用鉄筋部３Ｇを挿入配筋する。
基礎用鉄筋部３Ｇは側面用鉄筋３Ｇ１と、コーナー用鉄筋３Ｇ２から構成され、
Ａ．側面用鉄筋３Ｇ１は、適数本の直線状横筋３Ｇ１１、３Ｇ１１．．と、これらと連結された適数本の縦筋３Ｇ１２、３Ｇ１２．．と、各縦筋３Ｇ１２の下端に当該縦筋の後方に向け連設された水平な下方筋３Ｇ１３と、下方筋の後端に上方に向け連設された起立筋３Ｇ１４から構成され、
Ｂ．コーナー用鉄筋３Ｇ２は、適数本の平面略Ｌ字状横筋３Ｇ２１、３Ｇ２１．．と、これらと連結された適数本の縦筋３Ｇ２２、３Ｇ２２．．と、各縦筋３Ｇ２２の下端に当該縦筋の後方に向け連設された水平な下方筋３Ｇ２３と、下方筋の後端に上方に向け連設された起立筋３Ｇ２４から構成され、
Ｃ．側面用鉄筋３Ｇ１の起立筋３Ｇ１４とコーナー用鉄筋３Ｇ２の起立筋３Ｇ２４は、基礎用掘削溝３Ｂの外方側壁３Ｂ３側に位置して配筋されていること。
第７工程
土間部分３Ａの上面に、当該土間部分とは所定間隔をもって水平状態で土間用鉄筋３Ｉを張設する。
土間用鉄筋３Ｉは、適数本の横方向筋３Ｉ１、３Ｉ１．．と、これらと連結された適数本の縦方向筋３Ｉ２、３Ｉ２．．と、各横方向筋３Ｉ１の両端に下方に向け連設された垂下筋３Ｉ１１、３Ｉ１１と、各縦方向筋３Ｉ２の両端に下方に向け連設された垂下筋３Ｉ２１、３Ｉ２１から構成されていること。
【００１１】
【発明の実施の形態】
以下、本発明の実施の形態を実施例にもとづき図面を参照して説明する。
１は第１発明の基礎の形成方法で得た基礎で、その構成は下記の各工程から構成されている。
第１工程
所望する面積の土間部分１Ａの外周に基礎用掘削溝１Ｂを刻設する。
基礎用掘削溝１Ｂは底面１Ｂ１と内方側壁１Ｂ２と外方側壁１Ｂ３が断面上向きコ字状に形成されている。
この基礎用掘削溝１Ｂの刻設はトレンチャーなどによって行うと効率的である。
第２工程
基礎用掘削溝１Ｂの外方側壁１Ｂ３の上端縁に添って所定高さの型枠１Ｃを起立添設する。
そのために、スパイラルアンカーＳＡを型枠１Ｃの長手方向と直交方向へ２個所配することとする。
なお、このスパイラルアンカーは地盤へ旋回、圧入することにより地盤に強固に支持させる。スパイラルアンカーの上部分は全ネジ仕様となっており、横桟材Ｙを任意の位置に水平に配置することができるものとする。
この横桟材Ｙに支持させることで型枠１Ｃを起立添設することとする。
図中、１Ｃ１はばたである。
第３工程
土間部分１Ａの上面に砂利１Ｄを所定厚さに敷設転圧する。
【００１２】
第４工程
基礎用掘削溝１Ｂ内に基礎用鉄筋部１Ｅを挿入配筋する。
基礎用鉄筋部１Ｅは、側面用鉄筋１Ｅ１と、コーナー用鉄筋１Ｅ２から構成されている。
Ａ．側面用鉄筋１Ｅ１は、適数本の直線状横筋１Ｅ１１、１Ｅ１１．．と、これらと連結された適数本の縦筋１Ｅ１２、１Ｅ１２．．と、各縦筋１Ｅ１２の下端に当該縦筋の後方に向け連設された水平な下方筋１Ｅ１３と、下方筋の後端に上方に向け連設された起立筋１Ｅ１４から構成されている。
図中、１Ｅ１５は上端の屈曲筋である。
Ｂ．コーナー用鉄筋１Ｅ２は、適数本の平面略Ｌ字状横筋１Ｅ２１、１Ｅ２１．．と、これらと連結された適数本の縦筋１Ｅ２２、１Ｅ２２．．と、各縦筋１Ｅ２２の下端に当該縦筋の後方に向け連設された水平な下方筋１Ｅ２３と、下方筋の後端に上方に向け連設された起立筋１Ｅ２４から構成されている。
図中、１Ｅ２５は上端の屈曲筋である。
Ｃ．側面用鉄筋１Ｅ１の起立筋１Ｅ１４とコーナー用鉄筋１Ｅ２の起立筋１Ｅ２４は、基礎用掘削溝１Ｂの外方側壁１Ｂ３側に位置して配筋されている。
第５工程
型枠１Ｃに所定間隔で取付けたセパレータ１Ｆ、１Ｆ．．で側面用鉄筋１Ｅ１の上方部分を支持する。
【００１３】
第６工程
土間部分１Ａの上面に、当該土間部分とは所定間隔をもって水平状態で土間用鉄筋１Ｇを張設する。
この場合、当該土間用鉄筋１Ｇの外周部分を基礎用鉄筋部１Ｅの上辺部分に係止固定するとよい。
土間用鉄筋１Ｇは、適数本の横方向筋１Ｇ１、１Ｇ１．．と、これらと連結された適数本の縦方向筋１Ｇ２、１Ｇ２．．と、各横方向筋１Ｇ１の両端に下方に向け連設された垂下筋１Ｇ１１、１Ｇ１１と、各縦方向筋１Ｇ２の両端に下方に向け連設された垂下筋１Ｇ２１、１Ｇ２１から構成されている。
第７工程
側面用鉄筋１Ｅ１の上方部分に所定間隔をもってアンカー１Ｈ、１Ｈ．．を上方に向け植設する。
この場合、アンカー１Ｈをセパレータ１Ｆに連結することもできる。
第８工程
基礎用掘削溝１Ｂ内と土間部分１Ａ上の砂利１Ｄの上面にコンクリート１Ｉを打設する。
養生後型枠１Ｃを取外し基礎１を得る。
【００１４】
２は第２発明の基礎の形成方法で得た基礎で、その構成は下記の各工程から構成されている。
第１工程
所望する面積の土間部分２Ａの外周に基礎用掘削溝２Ｂを刻設する。
基礎用掘削溝２Ｂは底面２Ｂ１と内方側壁２Ｂ２と外方側壁２Ｂ３が断面上向きコ字状に形成されている。
この基礎用掘削溝２Ｂの刻設はトレンチャーなどによって行うと効率的である。
第２工程
基礎用掘削溝２Ｂの深さより高く構成された断熱板２Ｃを、当該基礎用掘削溝２Ｂの外方側壁２Ｂ３に添って起立添設する。
断熱板２Ｃは押出し法ポリエチレンフォーム（保温板）が好適である。
第３工程
土間部分２Ａの上面に砂利２Ｄを所定厚さに敷設転圧する。
第４工程
土間部分２Ａの上面と基礎用掘削溝における内方側壁２Ｂ２を覆う状態でビニールシート２Ｅを敷設後、土間部分２Ａの上面対応部分に断熱板２Ｆを敷設する。
断熱板２Ｆの素材は押出し法ポリエチレンフォーム（保温板）が好適である。
【００１５】
第５工程
基礎用掘削溝２Ｂ内に基礎用鉄筋部２Ｇを挿入配筋する。
基礎用鉄筋部２Ｇは、側面用鉄筋２Ｇ１と、コーナー用鉄筋２Ｇ２から構成されている。
Ａ．側面用鉄筋２Ｇ１は、適数本の直線状横筋２Ｇ１１、２Ｇ１１．．と、これらと連結された適数本の縦筋２Ｇ１２、２Ｇ１２．．と、各縦筋２Ｇ１２の下端に当該縦筋の後方に向け連設された水平な下方筋２Ｇ１３と、下方筋の後端に上方に向け連設された起立筋２Ｇ１４から構成されている。
図中、２Ｇ１５は上端の屈曲筋である。
Ｂ．コーナー用鉄筋２Ｇ２は、適数本の平面略Ｌ字状横筋２Ｇ２１、２Ｇ２１．．と、これらと連結された適数本の縦筋２Ｇ２２、２Ｇ２２．．と、各縦筋２Ｇ２２の下端に当該縦筋の後方に向け連設された水平な下方筋２Ｇ２３と、下方筋の後端に上方に向け連設された起立筋２Ｇ２４から構成されている。
図中、２Ｇ２５は上端の屈曲筋である。
Ｃ．側面用鉄筋２Ｇ１の起立筋２Ｇ１４とコーナー用鉄筋２Ｇ２の起立筋２Ｇ２４は、基礎用掘削溝２Ｂの外方側壁２Ｂ３側に位置して配筋されている。
【００１６】
第６工程
断熱板２Ｃに所定間隔で取付けたセパレータ２Ｈ、２Ｈ．．で側面用鉄筋２Ｇ１の上方部分を支持する。
第７工程
土間部分２Ａの上面に、当該土間部分とは所定間隔をもって水平状態で土間用鉄筋２Ｉを張設する。
この場合、当該土間用鉄筋２Ｉの外周部分を基礎用鉄筋部２Ｇの上辺部分に係止固定するとよい。
土間用鉄筋２Ｉは、適数本の横方向筋２Ｉ１、２Ｉ１．．と、これらと連結された適数本の縦方向筋２Ｉ２、２Ｉ２．．と、各横方向筋２Ｉ１の両端に下方に向け連設された垂下筋２Ｉ１１、２Ｉ１１と、各縦方向筋２Ｉ２の両端に下方に向け連設された垂下筋２Ｉ２１、２Ｉ２１から構成されている。
第８工程
側面用鉄筋２Ｇ１の上方部分に所定間隔をもってアンカー２Ｊ、２Ｊ．．を上方に向け植設する。
この場合、アンカー２Ｊをセパレータ２Ｈに連結することもできる。
第９工程
基礎用掘削溝２Ｂ内と土間部分２Ａ上の断熱板２Ｆの上面にコンクリート２Ｋを打設し、養生後基礎２を得る。
【００１７】
３は第３発明の基礎の形成方法で得た基礎で、その構成は下記の各工程から構成されている。
第１工程
所望する面積の土間部分３Ａの外周に基礎用掘削溝３Ｂを刻設する。
基礎用掘削溝３Ｂは底面３Ｂ１と内方側壁３Ｂ２と外方側壁３Ｂ３が断面上向きコ字状に形成されている。
この基礎用掘削溝３Ｂの刻設はトレンチャーなどによって行うと効率的である。
【００１８】
第２工程
基礎用掘削溝３Ｂ内に当該基礎用掘削溝の外方側壁３Ｂ３に添って断熱板３Ｃを、中間連結柱３Ｃ１と左方連結柱３Ｃ２と右方連結柱３Ｃ３を使用して起立添設する。
Ａ．断熱板３Ｃは、基礎用掘削溝３Ｂの深さに相当する高さを有する正面横長方形に形成して構成されている。
断熱板３Ｃの素材は、押出し法ポリエチレンフォーム（保温板）が好適である。Ｂ．中間連結柱３Ｃ１は、中間連結柱体３Ｃ１１と下方脚３Ｃ１２と上方内支持杆３Ｃ１３と上方外支持杆３Ｃ１４から構成されている。
ａ．中間連結柱体３Ｃ１１は、左方にコ字状に形成された挟持用左縦枠３Ｃ１１１と、右方にコ字状に形成された挟持用右縦枠３Ｃ１１２とを背中合わせの状態で連結して構成されている。
これにより左右に位置する断熱板３Ｃ、３Ｃの中間に位置し、左に位置する断熱板３Ｃの右端と右に位置する断熱板３Ｃの左端を挟持するよう構成されている。
ｂ．下方脚３Ｃ１２は、中間連結柱体３Ｃ１１の前面と後面における下端から垂下された所定寸法の前後の脚用棒３Ｃ１２１、３Ｃ１２１で構成されている。
ｃ．上方内支持杆３Ｃ１３は、中間連結柱体３Ｃ１１の前面における上方位置に前方に向けた支持棒で構成されている。
ｄ．上方外支持杆３Ｃ１４は、中間連結柱体３Ｃ１１の後面における上方位置に後方に向けた支持棒で構成されている。
【００１９】
Ｃ．左方連結柱３Ｃ２は、左方連結柱体３Ｃ２１と下方脚３Ｃ２２から構成されている。
ａ．左方連結柱体３Ｃ２１は、前方に向けたコ字状縦枠３Ｃ２１１に右方に向けたコ字状縦枠３Ｃ２１２を連結して構成されている。
ｂ．下方脚３Ｃ２２は、左方連結柱体３Ｃ２１の前面と後面における下端から垂下された所定寸法の前後の脚用棒３Ｃ２２１、３Ｃ２２１で構成されている。
Ｄ．右方連結柱３Ｃ３は、右方連結柱体３Ｃ３１と下方脚３Ｃ３２から構成されている。
ａ．右方連結柱体３Ｃ３１は、左方に向けたコ字状縦枠３Ｃ３１１に前方に向けたコ字状縦枠３Ｃ３１２を連結して構成されている。
ｂ．下方脚３Ｃ３２は、右方連結柱体３Ｃ３１の前面と後面における下端から垂下された所定寸法の前後の脚用棒３Ｃ３２１、３Ｃ３２１で構成されている。
【００２０】
第３工程
土間部分３Ａの上面に砂利３Ｄを所定厚さに敷設転圧する。
第４工程
土間部分３Ａの上面と基礎用掘削溝における内方側壁３Ｂ２を覆う状態でビニールシート３Ｅを敷設後、土間部分３Ａの上面対応部分に断熱板３Ｆを敷設する。
断熱板３Ｆの素材は、押出し法ポリエチレンフォーム（保温板）が好適である。
第５工程
基礎用掘削溝３Ｂ内に基礎用鉄筋部３Ｇを挿入配筋する。
基礎用鉄筋部３Ｇは、側面用鉄筋３Ｇ１と、コーナー用鉄筋３Ｇ２から構成されている。
Ａ．側面用鉄筋３Ｇ１は、適数本の直線状横筋３Ｇ１１、３Ｇ１１．．と、これらと連結された適数本の縦筋３Ｇ１２、３Ｇ１２．．と、各縦筋３Ｇ１２の下端に当該縦筋の後方に向け連設された水平な下方筋３Ｇ１３と、下方筋の後端に上方に向け連設された起立筋３Ｇ１４から構成されている。
図中、３Ｇ１５は上端の屈曲筋である。
Ｂ．コーナー用鉄筋３Ｇ２は、適数本の平面略Ｌ字状横筋３Ｇ２１、３Ｇ２１．．と、これらと連結された適数本の縦筋３Ｇ２２、３Ｇ２２．．と、各縦筋３Ｇ２２の下端に当該縦筋の後方に向け連設された水平な下方筋３Ｇ２３と、下方筋の後端に上方に向け連設された起立筋３Ｇ２４から構成されている。
図中、３Ｇ２５は上端の屈曲筋である。
Ｃ．側面用鉄筋３Ｇ１の起立筋３Ｇ１４とコーナー用鉄筋３Ｇ２の起立筋３Ｇ２４は、基礎用掘削溝３Ｂの外方側壁３Ｂ３側に位置して配筋されている。
【００２１】
第６工程
断熱板３Ｃに所定間隔で取付けたセパレータ３Ｈ、３Ｈ．．で側面用鉄筋３Ｇ１の上方部分を支持する。
第７工程
土間部分３Ａの上面に、当該土間部分とは所定間隔をもって水平状態で土間用鉄筋３Ｉを張設する。
この場合、当該土間用鉄筋３Ｉの外周部分を側面用鉄筋３Ｇ１の上辺部分に係止固定するとよい。
土間用鉄筋３Ｉは、適数本の横方向筋３Ｉ１、３Ｉ１．．と、これらと連結された適数本の縦方向筋３Ｉ２、３Ｉ２．．と、各横方向筋３Ｉ１の両端に下方に向け連設された垂下筋３Ｉ１１、３Ｉ１１と、各縦方向筋３Ｉ２の両端に下方に向け連設された垂下筋３Ｉ２１、３Ｉ２１から構成されている。
第８工程
側面用鉄筋３Ｇ１の上方部分に所定間隔をもってアンカー３Ｊ、３Ｊ．．を上方に向け植設する。
この場合、アンカー３Ｊをセパレータ３Ｈに連結することもできる。
第９工程
基礎用掘削溝３Ｂ内と土間部分３Ａ上の断熱材３Ｆの上面にコンクリート３Ｋを打設し、養生後基礎３を得る。
【００２２】
【発明の効果】
本発明は、上述の通り構成されているので次に記載する効果を奏する。
Ａ．下記のａないしｉの事項を不要とすることができる。
ａ．型枠を構成するために作業スペースを確保しなければならず、余幅をもって大きく掘削する必要がある。すなわち、余幅部分の掘削が発生する。
ｂ．大量の掘削土の埋め戻し材としての仮置場を必要とする。
ｃ．掘削土の仮置場までの運搬を必要とする。
ｄ．型枠資材を大量に必要とする。
ｅ．型枠資材の運搬を必要とする。
ｆ．型枠構成のための専門的な技能者を必要とする。
ｇ．上記技能者による型枠加工、現地取付作業を必要とする。
ｈ．基礎部分構築後の現地型枠解体作業と搬出運搬と型枠資材の管理を必要とする。
ｉ．仮置している掘削堆積土の運搬、搬入、埋め戻し作業を必要とする。
Ｂ．最小限の範囲の掘削で良く、残土はすべて捨土処理とすることができる。
Ｃ．型枠資材は最小限に抑えることができる。
Ｄ．従来工法の工程としては、第１に基礎部分、第２に埋め戻し作業、第３に土間部分として施工管理を必要とするが、本発明によれば基礎部分と土間部分を同一時期に構築することができる。
以上の理由により基礎施工費用半減と工事期間の大幅な短縮を図ることができる。
【図面の簡単な説明】
【図１】第１発明における基礎用掘削溝の１部を切欠いた斜視図である。
【図２】基礎用鉄筋部などを取付けた状態の１部を切欠いた斜視図である。
【図３】基礎用鉄筋部などを取付けた状態の拡大縦断面図である。
【図４】第１発明で得た基礎の拡大縦断面図である。
【図５】基礎用鉄筋部と土間用鉄筋の関係を示す要部の略図的斜視図である。
【図６】同上における連結状態を示す要部の略図的斜視図である。
【図７】基礎用鉄筋部と土間用鉄筋などの配設状態を示す要部拡大斜視図である。
【図８】第２発明における基礎用掘削溝の１部を切欠いた斜視図である。
【図９】基礎用鉄筋部などを取付けた状態の１部を切欠いた斜視図である。
【図１０】基礎用鉄筋部などを取付けた状態の拡大縦断面図である。
【図１１】第２発明で得た基礎の拡大縦断面図である。
【図１２】基礎用鉄筋部と土間用鉄筋の関係を示す要部の略図的斜視図である。
【図１３】同上における連結状態を示す要部の略図的斜視図である。
【図１４】基礎用鉄筋部と土間用鉄筋などの配設状態を示す要部拡大斜視図である。
【図１５】第３発明における基礎用掘削溝の１部を切欠いた斜視図である。
【図１６】基礎用鉄筋部などを取付けた状態の１部を切欠いた斜視図である。
【図１７】基礎用鉄筋部などを取付けた状態の拡大縦断面図である。
【図１８】第３発明で得た基礎の拡大縦断面図である。
【図１９】断熱板の分解斜視図である。
【図２０】断熱板の分解斜視図である。
【図２１】基礎用鉄筋部と土間用鉄筋の関係を示す要部の略図的斜視図である。
【図２２】同上における連結状態を示す要部の略図的斜視図である。
【図２３】基礎用鉄筋部と土間用鉄筋などの配設状態を示す要部拡大斜視図である。
【図２４】従来の基礎形成方法を説明する１部を切欠いた斜視図である。
【符号の説明】
１  第１発明の基礎の形成方法で得た基礎
１Ａ  土間部分
１Ｂ  基礎用掘削溝
１Ｃ  型枠
１Ｄ  砂利
１Ｅ  基礎用鉄筋部
１Ｆ  セパレータ
１Ｇ  土間用鉄筋
１Ｈ  アンカー
１Ｉ  コンクリート
２  第２発明の基礎の形成方法で得た基礎
２Ａ  土間部分
２Ｂ  基礎用掘削溝
２Ｃ  断熱板
２Ｄ  砂利
２Ｅ  ビニールシート
２Ｆ  断熱板
２Ｇ  基礎用鉄筋部
２Ｈ  セパレータ
２Ｉ  土間用鉄筋
２Ｊ  アンカー
２Ｋ  コンクリート
３  第３発明の基礎の形成方法で得た基礎
３Ａ  土間部分
３Ｂ  基礎用掘削溝
３Ｃ  断熱板
３Ｄ  砂利
３Ｅ  ビニールシート
３Ｆ  断熱板
３Ｇ  基礎用鉄筋部
３Ｈ  セパレータ
３Ｉ  土間用鉄筋
３Ｊ  アンカー
３Ｈ  セパレータ
３Ｋ  コンクリート
【図１】
2004156278.tif 000003
【図２】
2004156278.tif 000004
【図３】
2004156278.tif 000005
【図４】
2004156278.tif 000006
【図５】
2004156278.tif 000007
【図６】
2004156278.tif 000008
【図７】
2004156278.tif 000009
【図８】
2004156278.tif 000010
【図９】
2004156278.tif 000011
【図１０】
2004156278.tif 000012
【図１１】
2004156278.tif 000013
【図１２】
2004156278.tif 000014
【図１３】
2004156278.tif 000015
【図１４】
2004156278.tif 000016
【図１５】
2004156278.tif 000017
【図１６】
2004156278.tif 000018
【図１７】
2004156278.tif 000019
【図１８】
2004156278.tif 000020
【図１９】
2004156278.tif 000021
【図２０】
2004156278.tif 000022
【図２１】
2004156278.tif 000023
【図２２】
2004156278.tif 000024
【図２３】
2004156278.tif 000025
【図２４】
2004156278.tif 000026